(57)【要約】      （修正有）【課題】デジタルビデオカメラ(ＤＶ)が映像を読み取った後、組み合わせた投映メカニズムによって、直接映出する投映構造を備えるデジタルビデオカメラ(ＤＶ)を提供する。【解決手段】一種の投映構造を備えるデジタルビデオカメラ(ＤＶ)１は、外殻１１を備える一つのデジタルビデオカメラ(ＤＶ)と処理ユニット１２に電気接続する一つの投映メカニズム２を含む。該外殻には一つの処理ユニットを設け、且つ、該外殻上には、それぞれが処理ユニットと電気接続する映像読み取りユニット１３と音声出力／入力ユニット１４と保存ユニットと表示ユニットと操作インタフェースユニットと電源ユニットを最低設ける。投映メカニズムは、外殻の適当箇所に設ける。【選択図】図３
0003142640.tif 000002
【実用新案登録請求の範囲】
【請求項１】
投映構造を備えるデジタルビデオカメラ(DV)は一つのデジタルビデオカメラ(DV)と一つの投映メカニズムを含み、
該デジタルビデオカメラ(DV)は、一つの外殻を含み、外殻には、一つの処理ユニットを設け、且つ、外殻には、それぞれが処理ユニットと電気接続する映像読み取りユニットと、音声出力／入力ユニットと、保存ユニットと、表示ユニットと、操作インタフェースユニットと、電源ユニットを最低設け、
該投映メカニズムは、前記デジタルビデオカメラ(DV)の処理ユニットと電気接続し、且つ投映メカニズムは、外殻の適当箇所に設置することを特徴とする投映構造を備えるデジタルビデオカメラ(DV)。
【請求項２】
前記映像読み取りユニットは外殻の前端面に設けることを特徴とする請求項１記載の投映構造を備えるデジタルビデオカメラ(DV)。
【請求項３】
前記音声出力／入力ユニットは外殻の映像読み取りユニット近くの位置箇所に設けることを特徴とする請求項１記載の投映構造を備えるデジタルビデオカメラ(DV)。
【請求項４】
前記保存ユニットは、内設のメモリーと外付けのメモリーカードであることを特徴とする請求項１記載の投映構造を備えるデジタルビデオカメラ(DV)。
【請求項５】
前記表示ユニットは外殻の一方側に設けることを特徴とする請求項１記載の投映構造を備えるデジタルビデオカメラ(DV)。
【請求項６】
前記操作インタフェースユニットは外殻の後端面に設けることを特徴とする請求項１記載の投映構造を備えるデジタルビデオカメラ(DV)。
【請求項７】
前記操作インタフェースユニットは表示ユニットと結合することを特徴とする請求項１記載の投映構造を備えるデジタルビデオカメラ(DV)。
【請求項８】
前記電源ユニットは外殻の一方側に設けることを特徴とする請求項１記載の投映構造を備えるデジタルビデオカメラ(DV)。
【請求項９】
前記投映メカニズムは外殻の前端面、後端面、或いは外殻の一方側に設けることを特徴とする請求項１記載の投映構造を備えるデジタルビデオカメラ(DV)。
【請求項１０】
前記投映メカニズムには映像調整ユニットを設けることを特徴とする請求項１記載の投映構造を備えるデジタルビデオカメラ(DV)。
【考案の詳細な説明】
【技術分野】
【０００１】
本考案は、一種の投映構造を備えるデジタルビデオカメラ(DV)に関するものであり、特に、デジタルビデオカメラ(DV)が動態画面や静態映像を読み取った後、組み合わせた投映メカニズムにより出力し、直接映出する効果及び映像処理時間節約効果を達成する。
【背景技術】
【０００２】
一般の公知のデジタルビデオカメラ(DV)は、関連する動態画面或いは静態映像を読み取った後、関連する処理及び変換を行い、並びに、必要なメモリー中に保存しており、ユーザーは先にディスプレイを通して動態画面或いは静態映像のプレビューが可能で、もしユーザーが動態画面或いは静態映像を外部モニターに組み合わせて映出したい場合は、伝送線路を使ってデジタルビデオカメラ(DV)中の動態画面或いは静態映像をパソコン機器内に出力し、パソコン機器に関連ソフトの駆動及びプログラム編集を組み合わせて、これらの動態画面或いは静態映像のファイル変換や関連処理を行い、並びに、CDに焼き付けた後、更にCD-ROMドライブを使ってCD-ROM中の動態画面或いは静態映像を読み取り、CD-ROMドライブが連結する外部モニターで映出する。これにより、動態画面或いは静態映像は外部モニターから映出される。
【考案の開示】
【考案が解決しようとする課題】
【０００３】
一般の公知のデジタルビデオカメラ(DV)は、関連する動態画面或いは静態映像を読み取った後、必要なパソコン機器を組み合わせて動態画面或いは静態映像を組み合わせた外部モニターから映出することができる。しかし、動態画面或いは静態映像を処理する場合、パソコン機器や関連する駆動及び編集ソフトによって関連処理を行う必要があり、ユーザーは読み取った動態画面或いは静態映像を即刻映出することができず、且つ映像処理をしたい場合は非常に繁雑な手順を踏まなければならず映像処理時間の浪費に繋がる。
【課題を解決するための手段】
【０００４】
よって、本考案の主な目的は、デジタルビデオカメラ(DV)が動態画面或いは静態映像を読み取った後、組み合わせた投映メカニズムによって出力を行い、直接映出する効果及び映像処理時間節約の効果を持つ投映構造を備えるデジタルビデオカメラ(DV)を提供することにある。
【０００５】
前述の目的を達成する為、本考案の一種の投映構造を備えるデジタルビデオカメラ(DV)は、外殻を備える一つのデジタルビデオカメラ(DV)と処理ユニットに電気接続する一つの投映メカニズムを含む。デジタルビデオカメラ(DV)の外殻には一つの処理ユニットを設け、且つ、該外殻上には、それぞれが処理ユニットと電気接続する映像読み取りユニットと音声出力／入力ユニットと保存ユニットと表示ユニットと操作インタフェースユニットと電源ユニットを最低設ける。投映メカニズムは、外殻の適当箇所に設ける。
【考案の効果】
【０００６】
本考案の投射構造を備えるデジタルビデオカメラは、デジタルビデオカメラ(DV)が動態画面或いは静態映像を読み取った後、組み合わせた投映メカニズムによって出力を行い、直接映出する効果及び映像処理時間節約の効果を有することを特徴とする。
【考案を実施するための最良の形態】
【０００７】
参照する図１、図２、図３に示したのは、本考案の立体分解図、本考案の立体外観図、本考案の断面状態図である。図に示す通り、本考案の一種の投映構造を備えるデジタルビデオカメラ(DV)は、最低一つのデジタルビデオカメラ(DV)１及び一つの投映メカニズム２により構成される。
【０００８】
前記デジタルビデオカメラ(DV)１は、一つの外殻１１を含み、該外殻１１には、一つの処理ユニット１２を内設し、且つ、該外殻１１には、それぞれが処理ユニット１２と電気接続する映像読み取りユニット１３と、音声出力／入力ユニット１４と、保存ユニット１５と、表示ユニット１６と、操作インタフェースユニット１７と、電源ユニット１８を最低設ける。その内の映像読み取りユニット１３は外殻１１の前端面に設け、音声出力／入力ユニット１４は外殻１１の映像読み取りユニット１３に近い位置箇所に設け、保存ユニット１５は内設するメモリー或いは（及び）外付けのメモリーカードであり、表示ユニット１６は、外殻１１の一方側に設け、操作インタフェースユニット１７は、外殻１１の後端面に設けるか表示ユニット１６と結合してタッチ制御式パネルを形成し、電源ユニット１８は、外殻１１の別の一方側に設け、また必要に応じて一つの補助ライト１９と処理ユニット１２を電気接続し、並びに、外殻１１の映像読み取りユニット１３の近くの位置箇所に設ける。当然ながら、映像読み取りユニット１３と音声出力／入力ユニット１４と保存ユニット１５と表示ユニット１６と操作インタフェースユニット１７と電源ユニット１８は、必要に応じて外殻１１の異なる位置箇所に配置する。
【０００９】
前記投映メカニズム２は、前記デジタルビデオカメラ(DV)１の処理ユニット１２と電気接続し、且つ投映メカニズム２は、外殻１１の適当箇所に設置し、また投映メカニズム２には、一つの映像調整ユニット２１を設けることが可能である。該投映メカニズム２を設置する場合には、必要に応じて外殻１１の前端面、後端面、或いは外殻１１の一方側に設ける。このようにして、一つの全く新しい投映構造を備えるデジタルビデオカメラ(DV)が構成される。
【００１０】
参照する図４、図５、図６に示したのは、本考案の使用状態図、本考案のプレビュー状態図、本考案の投映映出状態図である。図に示す通り、本考案を運用する場合は、操作インタフェースユニット１７によって必要な映像読み取りモード或いは関連設定を行い、更に映像読み取りユニット１３及び音声出力／入力ユニット１４で動態画面或いは静態映像を読み取り、その後、処理ユニット１２によって関連処理及び変換を行うと、該動態画面或いは静態映像は関連する読み取りファイルに符合、その後更に、動態画面或いは静態映像は保存ユニット１５に保存される。この時、ユーザーは、操作インタフェースユニット１７の制御によって動態画面或いは静態映像を表示ユニット１６から出力してプレビューすることができ、また操作インタフェースユニット１７の制御によって動態画面或いは静態映像を投映メカニズム２から出力し、動態画面或いは静態映像を必要なディスプレイ上に投映映出し、並びに音声出力／入力ユニット１４によって関連サウンドを出力する。また、投映メカニズム２を使用する場合は、映像調整ユニット２１を使って投映焦点距離の調整を行うことができる。このようにして、デジタルビデオカメラ(DV)１と投映メカニズム２を組み合わせて、動態画面或いは静態映像の直接映出効果及び映像処理時間の節約効果を達成する。
【産業上の利用可能性】
【００１１】
前述した通り、本考案の投映構造を備えるデジタルビデオカメラ(DV)は、公知の種々欠点を効果的に改善し、デジタルビデオカメラ(DV)は動態画面或いは静態映像を読み取った後、組み合わせた投映メカニズムによって出力し、直接映出の効果及び映像処理時間節約の効果を達成する。また、本考案の生産力を更に進歩させ、更に実用的にし、更にユーザーの必要に応じることができ、確実に実用新案申請条件に符合する故、法に基づき実用新案を出願する。
【図面の簡単な説明】
【００１２】
【図１】本考案の立体分解図である。
【図２】本考案の立体外観図である。
【図３】本考案の断面状態図である。
【図４】本考案の使用状態図である。
【図５】本考案のプレビュー状態図である。
【図６】本考案の投映映出状態図である。
【符号の説明】
【００１３】
１      デジタルビデオカメラ(DV)
１１      外殻
１２      処理ユニット
１３      映像読み取りユニット
１４      音声出力／入力ユニット
１５      保存ユニット
１６      表示ユニット
１７      操作インタフェースユニット
１８      電源ユニット
１９      補助ライト
２      投映メカニズム
２１      映像調整ユニット
【図１】
0003142640.tif 000003
【図２】
0003142640.tif 000004
【図３】
0003142640.tif 000005
【図４】
0003142640.tif 000006
【図５】
0003142640.tif 000007
【図６】
0003142640.tif 000008